(57)【要約】【課題】ガソリン、太陽光などの燃料や電力を必要とすることなく、必要に応じた回転装置、浮力回転式エンジンを提供する。【解決手段】必要量の液体やガスを注入できるボックス状のケース内にシャフトを通し、単一円盤を設け、その円盤の両サイドに、浮力を要する袋状の物をその円盤の左右に装着、その袋状の物をパイプで連結し、片方の袋状に空気を入れ、その袋状の片方の空気袋を押せばパイプを通じ、その空気が左右の袋状に移動する作りで、円盤の両サイドに複数個均等の割り合いで装着、一定の位置のみ袋状がしぼむ作りで、片方は空気の移動で浮力が発生、浮力で円盤が回転する構造を特徴とする浮力回転式エンジンが開発できた。【選択図】図１
2010159636.tif 000002
【特許請求の範囲】
【請求項１】
駆動用、回転装置に関するもので、必要量の液体やガスを注入できるボックス状のケース内に左右にシャフトを通し、そのシャフトに垂直に設置した単一円盤を設け、その円盤の両サイドに、その円型盤の中心より垂直に左右に分け、その表面に、浮力を要する袋状の物をその円盤の左右に装着、その袋状の物、左右をパイプで連結し、片方の袋状に空気を入れ、その袋状の片方の空気袋を押せばパイプを通じ、その空気が左右の袋状に移動する作りで、円盤の両サイドに複数個均等の割り合いで装着、一定の位置のみ袋状がしぼむ作りで、片方は空気の移動で浮力が発生、このボックス状のケースに液体やガスを注入すれば、浮力で円盤が回転、特別な動力源を必要とする事なく、液体や浮力用ガスを使用する構造を特徴とする浮力回転式エンジン。
【請求項２】
液体やガスに特定せず、浮力を得られる液体やガスを注入できるケースで、回転力の大型化には、適宜サイズのコンベアー用スプロケット（搬送用大型チェーンギヤーとも言う）を上下複数個置き、このスプロケットに、コンベアーチェーンや回転ローラーと、コンベアーベルトを必要に応じた長さや幅で装着、このチェーンに空気が移動できる袋状の物を複数個連結し取り付け、左右の片方のみ袋状の物が萎（しぼ）む作りとし、片方は空気の移動で浮力が発生、このケースに水又は、ガスで浮力を発生する液体やガスを注入し回転するもので、複雑な機能や動力源を必要としない構造を特徴とした、請求項１に記載する浮力回転式エンジン。
【請求項３】
請求項１の単一回転円盤にはスベリ止めを施し、袋状の物品の萎（しぼ）む方法にはＴツガイを使用、回転円盤の右半分には、そのＴツガイとの押えにローラーを複数個使用、左半分には、袋状の開きを押える凸型金具を使い、一方、請求項２には、袋状の押え板に少数の押えローラーを使用、押え板の固定には、バネ付ツバと回転ローラー式で自動とし、押え板の開閉止めには、固定ツバ付とし、安定して装置の作動を可能な作りで、特別な装置を使用する事なく、液体や一定量のガス（又は圧縮ガス含）を使用する構造を特徴とした、請求項１、２に記載する浮力回転式エンジン。
【発明の詳細な説明】
【技術分野】
【０００１】
本発明は、駆動用、回転装置に関するもので、必要量の液体やガスを注入できるボックス状のケース内に左右にシャフトを通し、そのシャフトに垂直に設置した、単一円盤を設け、その円盤の両サイドに、その円型盤の中心より垂直に左右に分け、その表面に、浮力を要する袋状の物をその円盤の左右に装着、その袋状の物、左右をパイプで連結し、片方の袋状に空気を入れ、その袋状の片方の空気袋を押せばパイプを通じ、その空気が左右の袋状に移動する作りで、円盤の両サイドに複数個均等の割り合いで装着、一定の位置のみ袋状がしぼむ作りで、片方は空気の移動で浮力が発生、このボックス状のケースに液体やガスを注入すれば、浮力で円盤が回転、特別な動力源を必要とする事なく、液体や浮力用ガスを使用する構造を特徴とする浮力回転式エンジンに関するものである。
【背景技術】
【０００２】
従来から回転式エンジンでは、ガソリンや重油、バイオ燃料などをピストンの中に入れ、その燃料を燃焼させて、その爆発力を利用の上下運動を回転力に変換させ、動力を得るのがエンジンといわれるものである。
【０００３】
その他に、風力発電や太陽光発電などの発電をバッテリーに充電し、その電力でモーターを回転させて動力として、利用する事も一部開発されている。
【０００４】
従来のエンジンは、何かの燃料を必要とするもので、その他は、自然エネルギーを利用するものであるが、太陽光発電、風力発電、水力発電、バイオ発電などが主流である。
【０００５】
その他に、波を利用した波力発電があるが、浮力式として注目されているが、まだ確立された技術は出来ていない。
【０００６】
特に、自然エネルギーの利用向上には全世界の企業や大学が、いろいろな方法を研究中であるが、一種類の方法で、自然エネルギーのみで年間を通じ、５０％以上利用でき、しかも安価で個人が利用できる装置は、家庭用温水器のほか、多目的に利用できる回転装置など実用化されたものはない。
【０００７】
更に、自然エネルギーの利用は向上しているが、自然エネルギーは、発電量も少なく、不安定で、コストも割高であり課題が多い。
【０００８】
特に近時は、石油の異常な値上がりと、地球温暖化による異常気象による、風雨、小雨などの災害の多発が全世界の地域に拡大しており、この異変の解決策として、自然エネルギーの利用向上や、全く別の方法による回転式エンジンの開発が急務となっている。
【０００９】
自然エネルギーはいろいろと徐々に利用がなされているが、独立式の水力や、浮力式の回転式装置はまだ、技術の確立はなされていない。
【００１０】
この様な背景の中、理論的にも全く未開発の回転式エンジンの開発は不可欠で、発電機やいろいろな動力に利用できる多目的の回転エンジンの開発は急務である。
【００１１】
参考文献は次の通りである。
【特許文献１】特許出願 特開２００３−１４８３２０
【特許文献２】特許出願 特開２００８−０３１８７９
【特許文献３】特許出願 特開２００８−１４１５４
【特許文献４】特許出願 特開２０００−１４４６９８などが出願してあるが、浮力式回転装置として、まだ技術が確立した装置は未開発である。
【発明の開示】
【発明が解決しようとする課題】
【００１２】
解決しようとする問題点
（イ）基本的に水中でゴム風船をふくらませた場合、相当な浮力が発生するが、この      浮力を回転力に変換するにはどうしたらよいか。
（ロ）発電機や動力の回転力には、相当な回転力が必要であるが、大型の回転力装置      はどうしたら作れるか。
（ハ）浮力回転装置で水中のみの利用では利用が限定されるが、その他の浮力回転式      方法はできないか。
（ニ）特別の燃料や電力を必要とする事なく、回転するにはどうすればよいか。
【課題を解決するための手段】
【００１３】
請求項１の発明は、駆動用、回転装置に関するもので、必要量の液体やガスを注入できるボックス状のケース内に左右にシャフトを通し、そのシャフトに垂直に設置した、単一円盤を設け、その円盤の両サイドに、その円型盤の中心より垂直に左右に分け、その表面に、浮力を要する袋状の物をその円盤の左右に装着、その袋状の物、左右をパイプで連結し、片方の袋状に空気を入れ、その袋状の片方の空気袋を押せばパイプを通じ、その空気が左右の袋状に移動する作りで、円盤の両サイドに複数個均等の割り合いで装着、一定の位置のみ袋状がしぼむ作りで、片方は空気の移動で浮力が発生、このボックス状のケースに液体やガスを注入すれば、浮力で円盤が回転、特別な動力源を必要とする事なく、液体や浮力用ガスを使用する構造を特徴とする浮力回転式エンジンを提供するものである。
【００１４】
請求項２の発明は、液体やガスに特定せず、浮力を得られる液体やガスを注入できるケースで、回転力の大型化には、適宜サイズのコンベアー用スプロケット（搬送用大型チェーンギヤーとも言う）を上下複数個置き、このスプロケットに、コンベアーチェーンや回転ローラーと、コンベアーベルトを必要に応じた長さや幅で装着、このチェーンに空気が移動できる袋状の物を複数個連結し取り付け、左右の片方のみ袋状の物が萎（しぼ）む作りとし、片方は空気の移動で浮力が発生、このケースに水又は、ガスで浮力を発生する液体やガスを注入し回転するもので、複雑な機能や動力源を必要としない構造を特徴とした、請求項１に記載する浮力回転式エンジンを提供するものである。
【００１５】
請求項３の発明は、請求項１の単一回転円盤にはスベリ止めを施し、袋状の物品の萎（しぼ）む方法にはＴツガイを使用、回転円盤の右半分には、そのＴツガイとの押えにローラーを複数個使用、左半分には、袋状の開きを押える凸型金具を使い、一方、請求項２には、袋状の押え板に少数の押えローラーを使用、押え板の固定には、バネ付ツバと回転ローラー式で自動とし、押え板の開閉止めには、固定ツバ付とし、安定して装置の作動を可能な作りで、特別な装置を使用する事なく、液体や一定量のみのガス（又は圧縮ガス含）を使用する構造を特徴とした、請求項１、２に記載する浮力回転式エンジンを提供するものである。
【発明の効果】
【００１６】
次の発明効果が考えられる。
（イ）たとえば、てんびん型の両サイドに同じサイズのゴム風船を装着した場合、そ      のままでは、水中に入れても回転しないが、発明品は、円盤の下方でゴム風船      をふくらませるのと同時に、片方のゴム風船をしぼむ方法で回転抵抗を最小限      に押え、回転をスムーズにした。
（ロ）発電機や大型の装置を回転させるためには、相当の大型の回転力を要するが、      発明品は回転円盤の大型化や、コンベアーチェーン又は、コンベアーベルトを      長くし、それに複数個の袋状の物品（たとえばゴム袋）を装着できる構造で容      易に必要な回転装置が出来る。
（ハ）発明品の回転エンジンは、浮力を発生させる方法として、水とゴム風船、空気      とヘリウムガスなど、液体や浮力用ガスを使用、用途に応じ安全で多様な手法      で回転力を設定可能。
（ニ）発明品の回転エンジンは、ガソリンや電気などを常時補給する必要がなく、ケ      ース内に先に浮力を要する袋状の物と、回転装置を装着しておけば、ケース内      に液体や浮力用ガスを一度注入するだけで回転するもので、若干の自然蒸発や      ガスの濃度低下時に補給や交換をすれば良い。
【発明を実施するための最良の形態】
【００１７】
本願発明の名称は、浮力回転式エンジンで前述の通り、当発明品はガソリンや電気などの動力源となる燃焼物や電気など、常時注入が不要であり、当初の１回目での長期回転が可能で、窮極（きゅうきょく）の回転エンジンである。
【００１８】
本願発明品は、小型機は図３の様な単一円盤軸型にした装置でコンパクトに仕上げ、大型機は図９の様に複数回転軸にして、高回転力を提供し、図３、図９、共に全体のデザインと安全性、利便性のバランスが取れる最良の形状となっている。
【００１９】
以下、本願発明の実施の形態を図１〜図１３に基づいて説明する。
【００２０】
図１は本願発明の一実施の形態を示す、使用状態姿図（外観図とも言う）で、全体をコンパクトに収納したケースでデザインし、それぞれの部分を説明すれば、１はボックス状ケースで、２は注入口とノズルで、ここから液体や浮力ガスを注入、３は廃口とノズルで、ここより液体や使用済みのガスを出す作りで、４は点検ガラス窓、５は回転伝導プーリーを表わし、６は電気ソケットであるが通常は電気の使用はなく、７は吊り上げ用アイボルトで、８は装置内の安全の為の圧水抜き弁である。
【００２１】
図２は左側面図で、図の中の１、４、５、６、７、８は、図１に表示している通りである。
【００２２】
図３は正面斜視部分断面図で、９は１１の単一回転板の回転力を伝える、スベリ止め付回転伝導ローラーで、１１の単一回転板の直径サイズの５〜６倍となっており、回転力が増速され、１０は液体の回転波よけアングルで、１３が液体の満たん状態を示し、１４は１２の袋状物の押えローラーで、１１の単一回転板の右側全体を押えるため、１４の押えローラーのみで４ヶ装着し、その抑えローラーは４ヶでも、押えフタはバネ付でない為、弱い力で押す事が出来る。図の１、２、３は図１の表示の通りである。
【００２３】
図４は右側面内部構造参考図で、１１の単一回転円盤を右側より構造内部を参考図として表現、それによれば、両サイドに袋状物を装着し、回転力を増加させる構造で、円盤の右側は１２の袋状物押えフタを、１４の押えローラーで押え、中の１８の袋状物は、しぼり状になって浮力はほとんどなく、又一方、下部の単一円盤の左側では、１４の押えローラーがない為、自動的に袋状物は拡大状態となり、１９の様な図になり浮力を生じ、図３の通り４ヶ全部が１９の様に拡大状態となり浮力が発生するが、１７のフタ開き止め金具で、開きすぎないようになっている。図の中の１、２、３、５、８は図１、図３の通りである。
【００２４】
図５は袋状物押えフタ平面図で、１１の単一回転盤に１２の押えフタが、２１のＴツガイにより固定され、１４は、１のボックス状のケース枠から取付固定し、１７はフタが開きすぎ防止の為、２ヶ装着している。
【００２５】
図６は袋状物押え状態断面参考図で、１２の袋状物の押えフタを１４の押えローラーで押し、中の袋状の物が（しぼり時）の状態になり、浮力を低下させ、一方、パイプで連結された反対側は、下部図の通り、１２の押しフタは押しローラーがない為、１９の袋状物（拡大時）になって、１２の押しフタは１７のフタ開き止め金具で止まり、袋状の物が開きすぎないようにして、浮力を安定させている。
【００２６】
図７は丸型袋状物断面参考図で、１８の袋状物のしぼり図で１９は同拡大図で、袋状物（たとえばゴム風船スタイル）の中にパイプ１５を奥まで入れ、袋状物の中には２３の液体や気体の入出口が数個あって、袋状物とパイプ１５共に固定金具２４で固定し安全性を高めており、固定後、２２の逆流防止付注入口より、液体や気体を片方がふくらむ程度注入する。
【００２７】
図８は図７のものとほとんどかわらないが、角型袋状物もデザイン的に、又装置の拡大で製作され、面積も自由で、強度も２ヶ月〜６ヶ月の短期に消耗品として取り替えるものである。
【００２８】
図９は大型コンベア型正面斜視部分断面図で、大型スプロケット２５が上下に２ヶあり、これを２６のコンベアチェーンで連結し、そのコンベアチェーンに袋状物１８を付け、右側は１９の拡大状態となり浮力を生じ、特に右側の１４の押ローラーは１ヶのみで、１２の押えフタを押し、大型は押ローラー１ヶのみとし、２７のバネツバ式ストッパーで１８の袋状物しぼりの状態を保持し、２８は押フタ１２の拡大防止固定ツバ付金具である。図の１、２、３、９は、図１、図３の通りである。
【００２９】
図１０は大型コンベア型右側面斜視部分断面図で、２５の上下の大型スプロケットに２６のコンベアーチェーンを装着し、１２の袋状物押えフタが上から下まで６ヶ作られ、この方向は、大型スプロケットの右側の部分に当り、袋状物のしぼり時の状態に当り、１２の押フタ６ヶすべて１４の押えローラーで、２７のバネツバ式ストッパーによりオンになり、３０のストッパー解除ローラーで、ストッパーがオフになり袋状の物が拡大時になり、浮力が発生し回転し、２９のスベリ止め付大型回転伝導ローラーの両サイド２ヶで９のスベリ止め付伝導ローラー（小型）で５の回転伝導プーリーにシャフト２０で駆動力を伝達され回転する。
【００３０】
図１１は大型袋状物押え（大型用）フタ平面図、１２の袋状物押えフタが２１のＴツガイで３１のベース回転板に固定され、○Ａの両サイドに２７のバネツバ式ストッパーを装着、回転して一定の位置に来れば、３０のストッパー解除ローラーが、矢印の方向に１２の袋状物押えフタが動くと当り、自動的に２７のバネツバ式ストッパーがはずれ、中の袋状の物が拡大でき、○Ｂの２８固定ツバ付金具は、１２の押えフタが一定位置までしか開かない固定金具である。
【００３１】
図１２は図１１の断面図で、大型用に主に用いるもので、図により説明すれば、１４の押えローラーで１２の押しフタを押し、その時２７のバネツバ式ストッパーが働き、ストッパーがロックされ、１８の袋状の物がしぼむ状態になるが、１８の袋状の物は元々袋状になっており、力を要せずしてしぼむ作りとし、その次に一定の位置に来れば、３０のストッパー解除ローラーが、２７のバネ付ストッパーの後方のＲ型に当り、この時、２７のストッパーのツバが１２の押フタを開放し、２７のツバ付ストッパーが拡大し、中の１８の袋状物は拡大し、浮力が発生する。この装置のくり返しで回転装置が連続して回る。
【００３２】
図１３は図１２の関連で袋状物押え開き状態参考図で、１２で押え板が開き、２８の固定ツバ付金具で止まり、一定の大きさを保持でき、この金具は３１のベース回転板に固定され、１９の袋状の物（拡大時）がふくらむ状態で、２４はパイプ止め金具で固定する。
【００３３】
従来よりエネルギーの法則で、「エネルギーの不滅の法則」という理論があるが、今回の発明品は、従来では考えられないものであったが、現代ではいろいろな装着品、新素材、部品の長期安定使用品などがあり、新発想の回転装置エンジンの開発が可能である。
【産業上の利用可能性】
【００３４】
ガソリン、ガス、石炭などの化石燃料は有限であり、いずれ消滅するもので、又一方で、これらの燃料を使用する事であらゆる問題が発生、特にＣＯ２の発生源で地球温暖化の原因となっている。その為近時は風力発電、太陽光発電等が大きく注目され、利用も拡大しているが、自然エネルギーであり発電が不安定で、コスト高であり普及には問題が多い。
【００３５】
その為最近は、超伝導やプラズマ型、高温発電等の開発もなされているが、まだ未開発である。
【００３６】
この中にあって、本願発明品は水や空気など一定量の液体や浮力を要するガスを利用、又それらを圧縮利用する事で高効率の浮力回転式エンジンを提供できる画期的な発明である。発明エンジンの用途として、発電機用、大型農業機械用、船舶用、自動車用、農業ポンプ用、回転を要する工場用、一般産業用としての主エンジン及、補助エンジンとしての利用が考えられ、小型から大型用までの製作、施工ができ、独立回転エンジンとして、設置場所自由で移動も可能。外部から自然エネルギーの様に天候に左右されず、回転力が安定した回転式エンジンが製作可能で、地球温暖化防止上からも、産業発展からも生産拡大は不可欠の製品である。
【図面の簡単な説明】
【００３７】
【図１】本発明の実施形態を示す浮力回転式エンジンの正面外観図
【図２】同左側面図
【図３】同正面斜視部分断面図
【図４】同右側面内部構造参考図
【図５】同袋状物押えフタ平面図
【図６】同袋状物押え状態断面拡大図
【図７】同丸型袋状物断面参考図
【図８】同角型袋状物断面参考図
【図９】同大型コンベア型正面斜視部分断面図
【図１０】同大型コンベア型右側面斜視部分断面図
【図１１】同袋状物押え（大型用）フタ平面図
【図１２】同袋状物押え（大型用）状態断面参考図
【図１３】同袋状物押え開き状態参考図
【符号の説明】
【００３８】
１．ボックス状ケース
２．注入口とノズル
３．廃口とノズル
４．点検ガラス窓
５．回転伝導プーリー
６．電気ソケット
７．アイボルト
８．圧力抜き弁
９．スベリ止め付回転伝導ローラー（小型）
１０．液体よけアングル
１１．単一回転円盤
１２．袋状物押えフタ
１３．液体
１４．押えローラー（ゴム式）
１５．パイプ
１６．ピローベアリング
１７．フタ開き止金具（凸型）
１８．袋状物（しぼり時）（たとえばゴム風船）
１９．袋状物（拡大時）
２０．駆動シャフト
２１．Ｔツガイ
２２．逆流防止付注入口
２３．液体及気体の入出口
２４．パイプ止め金
２５．大型スプロケット
２６．コンベアチェーン
２７．バネツバ式ストッパー
２８．固定ツバ付金具
２９．スベリ止め付大型回転伝導ローラー
３０．ストッパー解除ローラー
３１．ベース回転板
３２．押バネ
【図１】
2010159636.tif 000003
【図２】
2010159636.tif 000004
【図３】
2010159636.tif 000005
【図４】
2010159636.tif 000006
【図５】
2010159636.tif 000007
【図６】
2010159636.tif 000008
【図７】
2010159636.tif 000009
【図８】
2010159636.tif 000010
【図９】
2010159636.tif 000011
【図１０】
2010159636.tif 000012
【図１１】
2010159636.tif 000013
【図１２】
2010159636.tif 000014
【図１３】
2010159636.tif 000015